(57)【要約】【課題】エア抜きバルブを配置する必要がなく、配管の交差が少なく、少数の継手や支持金物で足りる冷温水供給ヘッダシステムを提供することである。【解決手段】冷温水供給ヘッダ（１０）と、熱源機器から冷温水供給ヘッダに接続される一次配管（１２）と、冷温水供給ヘッダから空調機器に至る二次配管（１４、１６、１８）とを備え、二次配管のうち循環ポンプ（１４ｃ）の吸込口に接続される二次配管（１４）の冷温水供給ヘッダ側の接続個所が、冷温水供給ヘッダの下部又は側部であることを特徴とする。【選択図】　図１
2004084990.tif 000002
【特許請求の範囲】
【請求項１】
冷温水供給ヘッダと、熱源機器から前記冷温水供給ヘッダに接続される一次配管と、前記冷温水供給ヘッダから空調機器に至る二次配管とを備えた冷温水供給ヘッダシステムであって、
前記二次配管のうち循環ポンプの吸込口に接続される二次配管の前記冷温水供給ヘッダ側の接続個所が、前記冷温水供給ヘッダの下部又は側部であることを特徴とする冷温水供給ヘッダシステム。
【発明の詳細な説明】
【０００１】
【発明の属する技術分野】
本発明は一般に、建築施設における空調設備の分野に関する。より詳細には、本発明は、建築施設における新規な冷温水供給ヘッダシステムに関する。
【０００２】
【従来の技術】
図３は、オフィスビル等の建築施設における従来の典型的な冷温水供給ヘッダシステムを模式的に示した図である。図３において、３０は冷温水供給ヘッダ、３０ａは冷温水供給ヘッダ３０の支持用脚部、３２は熱源機器（図示せず）から冷温水供給ヘッダ３０に至る一次配管、３４、３６、３８はそれぞれ冷温水供給ヘッダ３０から空調機器（図示せず）等に至る二次配管、３２ａ、３４ａ、３４ｂ、３６ａ、３８ａはそれぞれ開閉バルブを示している。従来の冷温水供給ヘッダシステムでは、配管は（一次配管３２も二次配管３４、３６、３８も）、図示されるように、冷温水供給ヘッダ３０の上部に接続されている（なお、以下の説明及び図３において、説明及び図面の簡単化のため、二次配管については、二次配管３４についてのみ説明及び図示するが、二次配管３６、３８についても二次配管３４と同様の説明及び図示が当てはまる）。二次配管３４は、循環ポンプ３４ｃのみが介在されている、いわゆる「循環ポンプ系統」の配管である。
【０００３】
このような循環ポンプ系統の配管３４は、一般的に、循環ポンプ３４ｃを設置する必要があるため、図３に示されるように、冷温水供給ヘッダ３０の上部から上方に延びた後に下方に立ち下がる「上鳥居」形状をなすように配置される。
【０００４】
【発明が解決しようとする課題】
しかしながら、このような上鳥居形状をなした循環ポンプ系統の配管３４には、エア抜きバルブ３４ｆを配置しなければならず、循環ポンプ３４ｃの運転中にエア抜きバルブ３４ｆを開放してもエアを抜くことができずエアを吸い込んでしまうため、循環ポンプ３４ｃを停止させる必要があるという不都合がある。また、多数の循環ポンプ系統の配管がある場合には、配管を上鳥居形状にすると、配管の交差が多くなり、多数の継手や支持金物が必要になるという弊害がある。
【０００５】
したがって、本発明は、上鳥居形配管を排除することで、エア抜きバルブを配置する必要がなく、配管の交差が少なく、少数の継手や支持金物で足りる冷温水供給ヘッダシステムを提供することを目的とする。
【０００６】
【課題を解決するための手段】
本願請求項１に記載の冷温水供給ヘッダと、熱源機器から前記冷温水供給ヘッダに接続される一次配管と、前記冷温水供給ヘッダから空調機器に至る二次配管とを備えた冷温水供給ヘッダシステムは、前記二次配管のうち循環ポンプの吸込口に接続される二次配管の前記冷温水供給ヘッダ側の接続個所が、前記冷温水供給ヘッダの下部又は側部であることを特徴とするものである。
【０００７】
【発明の実施の形態】
次に、図面を参照して、本発明の好ましい実施の形態について詳細に説明する。図１に示される本発明の好ましい実施の形態に係る冷温水供給ヘッダシステムは、支持用脚部１０ａで床（図示せず）上に支持された冷温水供給ヘッダ１０を備えている。冷温水供給ヘッダ１０の上部には、ボイラ等の熱源機器（図示せず）からの一次配管１２が接続されており、一次配管１２には、開閉バルブ１２ａが配置されている。
【０００８】
冷温水供給ヘッダ１０の下部には、循環ポンプ系統の二次配管１４が接続されている。すなわち、二次配管１４は、冷温水供給ヘッダ１０の下部から下方に延びた後、床の直上で水平方向に向きを変え、伸縮継手１４ｅ等を介して循環ポンプ１４ｃの吸込口に接続され、更に、循環ポンプ１４ｃの吐出口から出た後に適当な個所で垂直方向に向きを変えて天井配管となり、所定の空調機器（図示せず）等に至る。なお、冷温水供給ヘッダ１０の直近に各二次配管の循環ポンプ１４ｃ、１６ｃ、１８ｃがそれぞれ設置される。
【０００９】
なお、図１において、１６、１８は、それぞれ他の系統に至る循環ポンプ系統の二次配管を示し、１２ａ、１４ｂ、１６ｂ、１８ｂは、それぞれ開閉バルブを示している。
【００１０】
図２は、本発明の別の好ましい実施の形態に係る冷温水供給ヘッダシステムを示した模式図である。図２に示される冷温水供給ヘッダシステムは、循環ポンプ系統の二次配管が冷温水供給ヘッダの下部にではなく側部に接続されている点を除いて、図１に示される冷温水供給ヘッダシステムと実質的に同一である。すなわち、図２の冷温水供給ヘッダシステムでは、冷温水供給ヘッダ２０の上部に、ボイラ等の熱源機器（図示せず）からの一次配管２２が接続されており、循環ポンプ系統の二次配管２４が、冷温水供給ヘッダ２０の側部に接続されている。なお、図２において、２６、２８は、それぞれ他の系統に至る循環ポンプ系統の二次配管を示し、２２ａ、２４ｂ、２６ｂ、２８ｂは、それぞれ開閉バルブを示している。
【００１１】
本発明は、以上の発明の実施の形態に限定されることなく、特許請求の範囲に記載された発明の範囲内で、種々の変更が可能であり、それらも本発明の範囲内に包含されるものであることはいうまでもない。
【００１２】
例えば、前記実施の形態において示されている一次配管、（循環ポンプ系統及びそれ以外のものを含む）二次配管の数は単なる例示であって、本発明のシステムにおいて、これ以上の数の配管を設けてもよい。
【００１３】
【発明の効果】
本発明によれば、循環ポンプ系統の二次配管の接続部を冷温水供給ヘッダの下部又は側部にしたため、循環ポンプ系統の二次配管の同じ機械室にある二次側循環ポンプの吸込口に至るまで鳥居形配管が発生しないので、この部分にエア抜きバルブを配置する必要がない。また、本発明のシステムでは、配管の交差が少なく、少数の継手や支持金物で足りるため、コスト、工事の手間、及び部品管理の点で、従来のシステムよりも有利である。さらに、本発明のシステムでは、冷温水供給ヘッダから循環ポンプの吸込口に至る配管の長さが短くなったので、循環ポンプ吸込側の圧力損失を低く抑えることが可能になった。
【図面の簡単な説明】
【図１】本発明の好ましい実施の形態に係る冷温水供給ヘッダシステムを模式的に示した図である。
【図２】（ａ）は本発明の別の好ましい実施の形態に係る冷温水供給ヘッダシステムを模式的に示した図、（ｂ）は（ａ）の線２ｂ−２ｂから見た側面図である。
【図３】従来の典型的な冷温水供給ヘッダシステムを模式的に示した図である。
【符号の説明】
１０、２０　冷温水供給ヘッダ
１２、２２　一次配管
１４、１６、１８、２４、２６、２８　循環ポンプ系統の二次配管
１４ｃ、１６ｃ、１８ｃ、２４ｃ、２６ｃ、２８ｃ　循環ポンプ
【図１】
2004084990.tif 000003
【図２】
2004084990.tif 000004
【図３】
2004084990.tif 000005